(57)【要約】【課題】  畳に用いたときの効果を高めることができる、畳用炭入紙を提供する。【解決手段】  畳用炭入紙３６は、接着剤を用いずに製造され、紙基材の中間層にのみ炭粉を含有する抄紙である。畳用炭入紙３６は、畳床と畳表とを備える畳において、畳床と畳表との間、畳床の畳表とは反対側、畳床のうち少なくとも一つに、積層した状態やロール状に巻いた状態で、主面が畳床及び畳表に対して略直角になるように配置される。【選択図】  図３
2007085067.tif 000002
【特許請求の範囲】
【請求項１】
接着剤を用いずに製造され、紙基材の中間層にのみ炭粉を含有する抄紙であって、
畳床と畳表とを備える畳において、前記畳床と前記畳表との間、前記畳床の前記畳表とは反対側、前記畳床のうち少なくとも一つに配置されることを特徴とする、畳用炭入紙。
【請求項２】
炭粉を含有する畳用炭入紙であって、
畳床と畳表とを備える畳において、前記畳床と前記畳表との間、前記畳床の前記畳表とは反対側、前記畳床のうち少なくとも一つに、主面が前記畳床及び前記畳表に対して略直角になるように配置されることを特徴とする、畳用炭入紙。
【請求項３】
前記畳において、複数のシート片が互いに平行に配置されることを特徴とする、請求項２に記載の畳用炭入紙。
【請求項４】
前記畳において、巻かれた状態で配置されることを特徴とする、請求項２に記載の畳用炭入紙。
【請求項５】
少なくとも一方の前記主面に皺が形成されていることを特徴とする、請求項１ないし４のいずれか一つに記載の畳用炭入紙。
【請求項６】
接着剤を用いずに製造され、紙基材の中間層にのみ前記炭粉を含有する抄紙であることを特徴とする、請求項２ないし４のいずれか一つに記載の畳用炭入紙。
【請求項７】
波形に加工されたことを特徴とする、請求項１ないし６のいずれか一つに記載の畳用炭入紙。
【請求項８】
請求項１ないし７のいずれか一つに記載の畳用炭入紙を用いたことを特徴とする、畳。
【発明の詳細な説明】
【技術分野】
【０００１】
本発明は畳用炭入紙に関し、詳しくは、炭粉を含有する炭入紙を畳に用いる技術に関する。
【背景技術】
【０００２】
炭には、ガス成分を吸着し、雰囲気中から除去する効果がある。また、雰囲気の湿度が高ければ吸湿し、反対に低ければ排湿して、湿度を略一定に保つ効果がある。その他、防虫、遠赤外線の放射、電磁波のシールド、導電などの効果もある。
【０００３】
このような炭の性質を利用し、消臭、調湿、防虫等の効果を得るため、炭の粉末を含有する炭入紙のシートを、畳に用いることが提案されている。
【０００４】
例えば、特許文献１には、紙基材中に多孔質炭化物粉末が一体的に分散されているシートを、畳表と畳床との間に介装することが開示されている。このシートは、抄紙工程におけるパルプスラリー中に、定着剤とともに炭化物粉末を添加して混練し均一に分散した後、抄紙したものである。
【０００５】
また、特許文献２には、不織布と紙との間に備えた備長炭粒子を接着剤によって備長炭粒子同士及び備長炭粒子と不織布及び紙とを接着したシートを、畳床と畳表との間に挟設することが開示されている。
【特許文献１】特開平１１−１３１６０６号公報
【特許文献２】特開２００１−１８３１２号公報
【発明の開示】
【発明が解決しようとする課題】
【０００６】
上述したように畳表と畳床との間に炭粉を含有するシートを介装する場合、消臭、調湿、防虫等の効果を高めるためには、炭粉の量を増やせばよい。しかし、シートの単位面積当たりに含有させることができる炭粉の量には限界がある。
【０００７】
本発明は、かかる実情に鑑み、畳に用いたときの効果を高めることができる畳用炭入紙を提供しようとするものである。
【課題を解決するための手段】
【０００８】
本発明は、上記課題を解決するために、以下のように構成した畳用炭入紙を提供する。
【０００９】
この畳用炭入紙は、接着剤を用いずに製造され、紙基材の中間層にのみ炭粉を含有する抄紙である。この畳用炭入紙は、畳床と畳表とを備える畳において、前記畳床と前記畳表との間、前記畳床の前記畳表とは反対側、前記畳床のうち少なくとも一つに配置される。
【００１０】
上記構成において、外部からのガスは、畳用炭入紙の紙基材中を通って、中間層の炭粉に達する。紙基材にも消臭、調湿などの効果があるので、紙基材と炭粉の両方が効果を発揮する。
【００１１】
上記構成の畳用炭入紙は、抄紙工程時に紙基材中に炭粉を配置することにより、接着剤を用いずに、パルプ、炭、水だけで製造することができる。そのため、接着剤によって炭粉の機能の一部を失うことがないので、炭粉の効果を十分に得ることができる。したがって、畳床と畳表との間、畳床の畳表とは反対側、畳床うち少なくとも一つに、畳用炭入紙の主面が畳床及び畳表と略平行になるように（畳床と畳表との重なり方向に対して略直角方向に延在するように）配置した場合でも、接着剤を用いて炭粉を保持する従来品よりも高い効果が得られる。
【００１２】
さらに効果を高めるためには、畳用炭入紙の主面が畳床及び畳表に対して略直角になるように配置すればよい。これによって、接着剤を用いて炭粉を保持する従来品を用いても、効果を高めることができる。
【００１３】
すなわち、本発明は、上記課題を解決するために、以下のように構成した畳用炭入紙を提供する。
【００１４】
この畳用炭入紙は、炭粉を含有する。この畳用炭入紙は、畳床と畳表とを備える畳において、前記畳床と前記畳表との間、前記畳床の前記畳表とは反対側、前記畳床のうち少なくとも一つに、主面が前記畳床及び前記畳表に対して略直角になるように配置される。
【００１５】
上記構成によれば、畳に用いる炭入紙の面積を増やして、炭入紙に含有される炭粉の総量を増やして、炭入紙による消臭、調湿等の効果を強化することができる。
【００１６】
この場合、従来品のように畳床及び畳表に平行に配置される炭入紙を増やしても、炭入紙を順に通気するため、全体として効果はあまり向上しない。これに対し、炭入紙の主面が畳床及び畳表に対して略直角になるように配置して炭入紙を増やすと、炭入紙の通気状態がどこでも略同じになるため、炭入紙全体が略同時に、かつ略均一に効果を発揮する。したがって、全体として効果が高まる上、効果の即効性と持続性も高まる。
【００１７】
具体的には、種々の態様とすることができる。
【００１８】
一態様としては、前記畳において、畳用炭入紙は、複数のシート片が互いに平行に配置される。
【００１９】
この場合、畳用炭入紙の複数のシート片は、例えば、分離した個々のシート片を重ねたものや、畳用炭入紙をジグザグに繰り返し折ったものである。畳用炭入紙のシート片が互いに隣接するように配置しても、畳用炭入紙のシート片間に畳用炭入紙以外の部材を配置してもよい。
【００２０】
他の態様としては、前記畳において、畳用炭入紙は、巻かれた状態で配置される。
【００２１】
この場合、畳用炭入紙の１枚又は２枚以上のシートのみを巻いたものでも、畳用炭入紙のシートと畳用炭入紙以外の部材とを巻いたものでもよい。
【００２２】
好ましくは、畳用炭入紙は、少なくとも一方の前記主面に皺が形成されている。
【００２３】
この場合、重ね合わせたり、巻き上げたりしても隙間が形成され、通気が確保されるので、畳用炭入紙の効果を十分に発揮させることができる。
【００２４】
好ましくは、畳用炭入紙は、接着剤を用いずに製造され、紙基材の中間層にのみ前記炭粉を含有する抄紙である。
【００２５】
上記構成において、外部からのガスは、畳用炭入紙の紙基材中を通って炭粉に達する。紙基材にも消臭、調湿などの効果があるので、紙基材と炭粉の両方が効果を発揮する。抄紙工程時に紙基材中に炭粉を配置することにより、接着剤による機能の損失を回避し、炭粉の効果を十分に得ることができる。また、畳用炭入紙の主面（表裏面）から炭粉が露出しないので、炭粉による汚れ等が少なくなり、製造工程中において畳用炭入紙の取り扱いが容易になる。
【００２６】
好ましくは、畳用炭入紙は、波形に加工される。
【００２７】
この場合、畳用炭入紙の周囲の空間が大きくなって通気がよくなるので、畳用炭入紙が効果を発揮する速度を高めることができる。
【００２８】
また、本発明は、上記構成のいずれかの畳用炭入紙を用いた畳を提供する。
【発明の効果】
【００２９】
本発明によれば、畳に用いたときの効果を高めることができる。
【発明を実施するための最良の形態】
【００３０】
以下、本発明の実施の形態について、図１〜図７を参照しながら説明する。
【００３１】
図１に、畳１０の基本構成を示す。畳１０は、芯材である畳床１２に畳表１４を重ね、畳縁１６を縫い付けたものである。畳床１２は、以前は藁だけで作られていたが、近年では、フォームポリエチレンやインシュレーションボードなど、藁以外の材料も使われている。畳表１４は、藺草を織り上げたもの以外に、化学製品やパルプで作られたものもある。
【００３２】
図２は、後述する実施例１〜４において特に好適に用いることができる炭入紙２０の構成を模式的に示す断面図である。
【００３３】
炭入紙２０は、紙基材２４に古紙（故紙）パルプを用いた抄紙であり、表裏面２２，２８に皺（図示せず）が形成されたクレープ紙である。炭入紙２０は、紙基材２４の中間層にのみ、炭粉２６を含有している。炭粉２６は、畳に特に好適な消臭、吸湿、調湿、防カビ、防虫、環境汚染物質の吸着などの効果の他、遠赤外線の放射、電磁波防止、帯電防止などの効果もある。炭粉２６は、多孔性炭化物を粉末にしたものである。例えば梅の種や椰子の殻の炭を粉末にした炭粉２６を用いた炭入紙２０が市販されている。
【００３４】
炭入紙２０は中間層にのみ炭粉２６を含有しているので、外部からのガスは、炭入紙２０の紙基材２４を通って炭粉２６に達する。そのため、紙基材２４と炭粉２６の両方に、消臭や調湿、環境汚染物質の吸着などの効果を発揮させることができる。特許文献２のように接着剤を用いて炭粉をシート素材に保持すると、接着剤によって炭粉の機能の一部が失われる。これに対し、炭入紙２０は、抄紙工程時に紙基材２４の中間層に炭粉２６を配置し、接着剤を用いずに、パルプ、炭、水だけで製造することができる。接着剤を用いないので、炭粉２６の機能を損なうことがなく、炭粉２６の効果を十分に得ることができる。
【００３５】
そのため、炭入紙２０は、畳床と畳表との間、畳床の畳表とは反対側、畳床うち少なくとも一つに、炭入紙２０の表裏面２２，２８が畳床及び畳表と略平行になるように（すなわち、畳床と畳表との重なり方向に対して略直角方向に延在するように）配置した場合でも、接着剤を用いて炭粉を保持する従来品よりも高い効果が得られる。例えば、畳床と畳表との間あるいは多層構造の畳床の層の間に１枚又は２枚以上の畳用炭入紙２０を挟む場合や、畳床の畳表とは反対側に１枚又は２枚以上の炭入紙２０を配置し不織布や樹脂製の通気性シートで覆うようにした場合でも、接着剤を用いる従来品よりも高い効果が得られる。
【００３６】
炭入紙２０を用いる効果をより一層高めるためには、後述する実施例１〜４のように、炭入紙２０の主面が畳床及び畳表に対して略直角になるように配置すればよい。このような配置であれば、接着剤を用いて炭粉を保持する従来品を用いても、主面を畳床及び畳表と略平行になるように配置する場合によりも、効果が高まる。
【００３７】
また、炭入紙２０の表裏面２２，２８から炭粉２６が露出しないので、炭粉２６による汚れ等が少なくなり、製造工程中において取り扱いが容易になる。炭入紙２０は、表裏面２２，２８の皺（図示せず）によって、重ねたり、巻き取ったりしても密着せず、隙間が形成され、これによって通気が確保されるので、炭粉２６の効果の即効性を高めることができる。
【００３８】
したがって、炭入紙２０は、以下の実施例１〜４において特に好適に用いることができる。
【００３９】
（実施例１）  図３に、実施例１の炭入紙ユニット３０の構成を示す。
【００４０】
炭入紙ユニット３０は、底板３２の上に立てた状態で積層された炭入紙のシート片３６が配置されている。炭入紙のシート片３６間の隙間は誇張して図示しているが、実際にはシート片３６同士が重なり、互いに接するようにすることが好ましい。シート片３６は、個片に分離されたものであって、連続シートを例えばジグザグに繰り返し折ったものであってもよい。炭入紙のシート片３６だけでは十分な強度や剛性が得られないため、底板３２の上には適宜間隔で立板３４が配置され、その上に上板３８が配置されている。
【００４１】
炭入紙ユニット３０は、畳床の全部又は一部に用いる。例えば、それ自体を畳床として用いる。あるいは、畳床を形成する複数層のうちの１又は２以上の層に用いる。
【００４２】
あるいは、炭入紙ユニット３０を、畳床の畳表との間に配置する。このとき、例えば、底板３２が図１に示した畳床１２の上面１３と接し、上板３８が畳表１４と接するようにする。
【００４３】
あるいは、炭入紙ユニット３０を、畳床の畳表とは反対側に配置する。このとき、例えば、炭入紙ユニット３０の上板３８が図１に示した畳床１２の下面１１と接し、炭入紙ユニット３０の底板３２が畳を敷く床に接するようにする。
【００４４】
いずれの場合においても、炭入紙ユニット３０の炭入紙のシート片３６の主面は、畳床及び畳表に対して略直角になる。すなわち、畳を敷いた状態では、畳床及び畳表が水平に配置され、炭入紙のシート片３６は略垂直に配置される。
【００４５】
炭入紙ユニット３０の底板３２、立板３４、上板３８は、炭入紙ユニット３０を畳のどの部分にどのような態様で用いるか等を考慮して、適宜な寸法、強度、防水・透湿性等の特性を有する部材を選択すればよい。例えば、底板３２や上板３８は、通気性を有する薄いシート材、網などであってもよい。底板３２、立板３４、上板３８は、接着剤等によって互いに結合してもよい。あるいは、底板３２及び立板３４を、合成樹脂で一体成形してもよい。底板３２、立板３４、上板３８のいずれかを用いない構成とすることも可能である。炭入紙の複数のシート片３６は、例えば接着剤などを用いて、結合してもよい。
【００４６】
炭入紙を畳に使用したときの炭入紙の効果は、使用する炭入紙の面積を増やせば、強化することができる。この場合、従来品のように畳床及び畳表に平行に配置される炭入紙の枚数を増やしても、炭入紙を順に通気するため、全体として効果はあまり向上しない。これに対し、炭入紙ユニット３０のように炭入紙のシート片３６を畳床１２及び畳表１４に対して略直角に配置すると、炭入紙のシート片３６は、どのシート片３６においても通気状態が略同じになるため、炭入紙のシート片３６全体が略同時に、かつ略均一に効果を発揮する。したがって、全体として効果が高まる上、効果の即効性と持続性も高まる。
【００４７】
（実施例２）  図４に、実施例２の炭入紙ユニット４０の構成を示す。
【００４８】
炭入紙ユニット４０は、上板４８と下板４２との間に、炭入紙を用いた波板部材４６と平板部材４４とが交互に配置されている。平板部材４４は、炭入紙でもよいが、波板部材４６よりも強度のある部材とすることが好ましい。炭入紙ユニット４０の下板４２、平板部材４４、波板部材４６、上板４８は、炭入紙ユニット４０を畳のどの部分にどのような態様で用いるか等を考慮して、適宜な寸法、強度、防水・透湿性等の特性を有する部材を選択すればよい。例えば、下板４２や上板４８は、通気性を有する薄いシート材、網などであってもよい。
【００４９】
波板部材４６と平板部材４４には、例えばコルゲータを用い、波形に加工した炭入紙の中芯と平面状の表ライナとを接合した片面ダンボールを重ね合わせ、所定幅に切断したものを用いる。
【００５０】
炭入紙ユニット４０は、実施例１と同様に、畳床１２の畳表１４との間、畳床１２の畳表１４とは反対側、畳床１２に配置することができる。例えば、炭入紙ユニット４０を畳床の全部又は一部（多層の畳床の一つの層）に用いる。いずれの場合においても、炭入紙の波板部材４６は、畳床１２及び畳表１４に対して略直角に配置され、実施例１と同様の効果が得られる。このとき、好ましくは、炭入紙の波板部材４６の波の稜線が畳床１２及び畳表１４に対して略直角になるように配置する。これによって、通気を確保して、炭入紙の効果を高めることができる。
【００５１】
（実施例３）  実施例３の炭入紙ユニット５０について、図５及び図６を参照しながら説明する。
【００５２】
図５に示すように、炭入紙ユニット５０は、底板５２及び外枠５４，５５を有する箱状の部材中に、炭入紙のロール片８４が配置されている。ロール片８４の位置ずれ防止と補強のため、ロール片８４の列の間には、仕切り板５６が平行に配置されている。仕切り板５６は、格子状に配置してもよい。逆に、仕切り板５６がない構成とすることも可能である。図示していないが、上板を被せ、ロール片８４等を覆うようにしてもよい。炭入紙ユニット５０の底板５２、外枠５４，５５、上板は、炭入紙ユニット５０を畳のどの部分にどのような態様で用いるか等を考慮して、適宜な寸法、強度、防水・透湿性等の特性を有する部材を選択すればよい。例えば、底板５２や上板は、通気性を有する薄いシート材、網などであってもよい。
【００５３】
ロール片８４には、例えば、図６（ａ）に示すように炭入紙のシート８０を巻き取ったロール８２を、図６（ｂ）に示すように所定幅に切断したものを用いる。２枚以上の炭入紙のシートを一つに巻き取っても、炭入紙のシートと炭入紙以外のシートとを一つに巻き取ってもよい。ロール片の中心に、補強等のために芯材を配置してもよい。
【００５４】
ロール片８４の軸直角断面は、円形に限らず、楕円形や略多角形などであってもよい。ロール片８４は、円筒形状に炭入紙のシートを巻き取ったロール８２をプレス等で略多角柱形状に加工しても、初めから略多角柱形状に巻き取ってもよい。特に、ロール片が略六角形であれば、炭入紙ユニットにはロール片をハニカム状に高密度に配置することができる。炭入紙ユニットには、寸法や形状等が異なる複数種類のロール片を適宜に組み合わせて用いてもよい。
【００５５】
炭入紙ユニット５０は、実施例１と同様に、畳床の畳表との間、畳床の畳表とは反対側、畳床に配置することができる。例えば、炭入紙ユニット５０を畳床の全部又は一部（多層の畳床の一つの層）に用いる。いずれの場合においても、ロール片８４を構成する炭入紙のシートの主面は、畳床及び畳表に対して略直角に配置され、実施例１と同様の効果が得られる。
【００５６】
（実施例４）  図７に、実施例４の炭入紙ユニット６０の構成を示す。
【００５７】
炭入紙ユニット６０は、平板状の基材６２に形成された穴６４の中に、実施例３と同様の炭入紙のロール片８４が配置されている。穴６４は、基材６２を貫通するように形成しても、基材６２の中間位置まで形成してもよい。基材６２は、ポリスチレンフォームなどの合成樹脂発泡体、インシュレーションボードなどの繊維を成型した繊維板等、適宜な材料を用いて形成する。図示していないが、基材６２の一方又は両方の主面を覆う部材を設けてもよい。
【００５８】
ロール片８４の軸直角断面は、円形に限らず、楕円形や略多角形などであってもよい。ロール片８４は、円筒形状に炭入紙のシートを巻き取ったロール８２をプレス等で略多角柱形状に加工しても、初めから略多角柱形状に巻き取ってもよい。
【００５９】
また、寸法や形状等が異なる複数種類のロールを適宜に組み合わせて用いてもよい。また、ロール中心に、補強等のために芯材を配置してもよい。あるいは、炭入紙のシートと炭入紙以外のシートとを重ねて巻いたロールを用いてもよい。
【００６０】
炭入紙ユニット６０は、実施例１と同様に、畳床の畳表との間、畳床の畳表とは反対側、畳床に配置することができる。例えば、炭入紙ユニット６０を畳床の全部又は一部（多層の畳床の一つの層）に用いる。いずれの場合においても、ロール片８４を構成する炭入紙のシートの主面は、畳床及び畳表に対して略直角に配置され、実施例１と同様の効果が得られる。
【００６１】
（まとめ）  以上に説明したように、炭入紙のシートを用いた炭入紙ユニット３０，４０，５０，６０は、畳床の畳表との間、畳床の畳表とは反対側、畳床のうち少なくとも一つに、炭入紙のシートの主面が畳床及び畳表に対して略直角になるように配置することによって、畳に用いたときの効果を高めることができる。
【００６２】
なお、本発明は、上記した実施の形態に限定されるものではなく、種々変更を加えて実施することが可能である。
【００６３】
例えば、本発明において用いる炭入紙は、図２の構成のクレープ紙が特に好適であるが、これ以外のものであってもよい。
【図面の簡単な説明】
【００６４】
【図１】畳の基本構成を示す断面図である。
【図２】炭入紙の構成を模式的に示す断面図である。
【図３】炭入紙ユニットの構成を示す部分断面斜視図である。（実施例１）
【図４】炭入紙ユニットの構成を示す部分断面斜視図である。（実施例２）
【図５】炭入紙ユニットの構成を示す斜視図である。（実施例３）
【図６】炭入紙のロールの製造工程の説明図である。（実施例３）
【図７】炭入紙ユニットの構成を示す斜視図である。（実施例４）
【符号の説明】
【００６５】
１０  畳
１２  畳床
１４  畳表
２０  炭入紙
２４  紙基材
２６  炭粉
３６  シート片（畳用炭入紙）
４６  波形部材（畳用炭入紙）
８４  ロール片（畳用炭入紙）
【図１】
2007085067.tif 000003
【図２】
2007085067.tif 000004
【図３】
2007085067.tif 000005
【図４】
2007085067.tif 000006
【図５】
2007085067.tif 000007
【図６】
2007085067.tif 000008
【図７】
2007085067.tif 000009